(57)【要約】【課題】小便器の洗浄水を集水し、一方向に吐出できる小便器の目皿の技術を提供する。【解決手段】小便器の目皿は、小便器本体の底部に開口したトラップ上部に載置できる小便器の目皿であって、目皿は、目皿の外周縁から略中央部に向かって下降する導水路を備える。【選択図】図２
2013221377.tif 000002
【特許請求の範囲】
【請求項１】
小便器本体の底部に開口したトラップ上部に載置できる小便器の目皿であって、
前記目皿は、前記目皿の外周縁から略中央部に向かって下降する導水路を備える、小便器の目皿。
【請求項２】
前記導水路は、前記目皿の相互に異なる曲率半径で外周縁から略中央部に向かって湾曲する複数の領域部分によって一体形成される、請求項１に記載の小便器の目皿。
【請求項３】
尿流を受ける小便器本体を構成する小便器本体壁面と、前記小便器本体の底部に開口した排水口と、前記排水口に連通するトラップと、前記トラップの後方に連通する出口管と、流入管と、前記トラップ上部に載置された目皿と、を有する小便器であって、
前記目皿は、前記目皿の外周縁から略中央部に向かって下降する導水路を備え、
前記目皿は、前記流入管を介して前記小便器本体壁面に吐水された洗浄水を集水し、該集水された洗浄水を前記導水路の端部に形成された開口面と対向する前記トラップの湾曲した壁面に吐出すると共に、前記目皿から吐出された洗浄水は前記トラップの湾曲した壁面に沿って前記トラップ内に流れ込み、前記トラップ内に貯留された封水を前記出口管より排出する、小便器。
【発明の詳細な説明】
【技術分野】
【０００１】
本発明は、小便器の目皿及び小便器に関する。
【背景技術】
【０００２】
従来、公衆トイレ等の男性用の小便器においては、屎尿等が流入する排水口を覆うように目皿が設けられており、小便器本体の底部に設けられたトラップに貯留された封水からの臭気の上昇や逆流等を防いでいる。この種の目皿として、例えば、出願人が提案を行った特許文献１の図３に開示されているように、円形の蓋体に排水が流入する貫通孔を形成する構造が一般的である。
【０００３】
また、近年の自動洗浄機能を有する小便器の普及に伴い、これまでに出願人は、特許文献２−４に開示するような、小便器の洗浄における節水を図ると共に、小便器を含むトイレ設備の清潔感を向上するといった種々の提案を行ってきている。
【先行技術文献】
【特許文献】
【０００４】
【特許文献１】特開２００２−１３８５５９号公報
【特許文献２】特開平７−１８７１８号公報
【特許文献３】特開２００２−６１２５１号公報
【特許文献４】特開２００９−７４３１３号公報
【発明の概要】
【発明が解決しようとする課題】
【０００５】
円形の蓋体に排水が流入する貫通孔を有する目皿が設けられた小便器では、例えば、目皿に設けられた貫通孔を介して流入された排水が、小便器の排水口を通じて小便器底部のトラップに落ちるだけの構造のため、屎尿濃度が濃いまま残り易い。
【０００６】
小便器底部のトラップに貯留された封水の屎尿濃度が濃い場合では、トラップからの臭気のため、トイレ設備の清潔感を損なう虞がある。また、トラップに貯留された排水の屎尿濃度を下げるため、洗浄のための水量を増やすことも考えられるが、コストや節水の観点から望ましくない。
【０００７】
本願の出願人は、鋭意研究の結果、小便器に設けられた目皿に着眼し、小便器の洗浄水を集水し、一方向に吐出できる小便器の目皿を提案する。
【０００８】
従って、開示の技術の課題は、小便器の洗浄水を集水し、一方向に吐出できる小便器の目皿の技術を提供することにある。
【課題を解決するための手段】
【０００９】
開示の技術の一側面は、次の小便器の目皿の構成によって例示される。すなわち、小便器の目皿は、小便器本体の底部に開口したトラップ上部に載置できる小便器の目皿であって、目皿は、目皿の外周縁から略中央部に向かって下降する導水路を備える。
【００１０】
このような構成によれば、小便器の目皿は小便器の上部から底部に流れ込んできた洗浄水を、略中央部に形成された導水路に集中させることができる。導水路は、目皿の外周縁から略中央部に向かって下降するため、集水した洗浄水を、導水路の先端部から底部の傾斜方向に沿って下方に吐出することができる。吐出された洗浄水は、トラップ内に貯留さ
れた屎尿濃度が濃い封水に対して排出する流れをつくることができる。
【発明の効果】
【００１１】
開示の小便器の目皿によれば、小便器の洗浄水を集水し、一方向に吐出できる小便器の目皿の技術を提供できる。
【００１２】
他の課題、特徴及び利点は、図面及び特許請求の範囲とともに取り上げられる際に、以下に記載される発明を実施するための形態を読むことにより明らかになるであろう。
【図面の簡単な説明】
【００１３】
【図１】一実施形態による小便器の構成を例示する図である。
【図２】一実施形態の目皿を取り付けた小便器の側面断面図を例示する図である。
【図３Ａ】目皿の表面側から視た斜視構成図を例示する図である。
【図３Ｂ】目皿を裏面側から視た斜視構成図を例示する図である。
【図３Ｃ】目皿の平面構成図を例示する図である。
【図３Ｄ】目皿の側面構成図を例示する図である。
【図３Ｅ】目皿の後方側面構成図を例示する図である。
【図４】一実施形態の目皿を取り付けた小便器の排水に関する説明図である。
【発明を実施するための形態】
【００１４】
以下、図面を参照して、実施の形態を説明する。実施の形態の構成は例示であり、本明細書に例示される実施形態には限定されない。
【００１５】
以下、図１から図４の図面に基づいて、実施の形態である小便器の目皿を説明する。
【００１６】
〔小便器構成〕
図１は、一実施形態による小便器の構成を例示する図である。図１（ａ）は、本実施形態の小便器の目皿が設置される小便器の正面図を例示し、図１（ｂ）は側面図、図１（ｃ）は上面図を例示する。また、図２は、本実施形態の小便器の目皿が設置される小便器の側面断面図を例示する。
【００１７】
図１（ａ）乃至図１（ｃ）、図２に例示するように、小便器１は、小便器本体２と、該小便器本体２を構成する小便器本体壁面４と、該小便器本体壁面４の周囲を取り囲む外側壁面５と、小便器本体壁面４の上端から前方に水平方向に延びる上部壁面３と、を備える。また、小便器１は、小便器本体２の底部に設けられた排水口６と、該排水口６に連通するトラップ１０と、該トラップ１０に連通する排水配管１１と、該排水配管１１に連結する出口管１２と、を備える。また、小便器１は、排水口６の位置から鉛直方向に上方に洗浄水の流入管１３を備える。
【００１８】
小便器本体２は、尿流を受けるように、小便器本体壁面４によって構成されている。小便器本体壁面４は、図２に例示するように、その上部はほぼ鉛直に向けられ、下方で次第に前方に向かって湾曲する。小便器本体２の下部は、すり鉢状になっており、図１（ｃ）、図２に例示するように、小便器本体２の下部の先端は、リップ部２ａを形成する。
【００１９】
図２に例示するように、小便器１の外側壁面５は、小便器１の外側の壁面を形成し、小便器本体壁面４の外周に、小便器本体壁面４と連続して形成されている。また、上部壁面３は、小便器本体壁面４の上端から前方に水平方向に沿って延伸し、上部壁面３の先端部と外側壁面５とは連続して形成されている。
【００２０】
排水口６は、小便器本体２の底部に開口しており、小便器１のトラップ１０と連通して
いる。図１（ｃ）に例示するように、小便器本体２の下部は、リップ部２ａの先端で小便器本体壁面４の二つの面が交差するよう形成されている。排水口６は、リップ部２ａの先端から、該リップ部２ａに対向する小便器本体壁面４への方向に、長軸を有する略楕円形状の開口を有している。
【００２１】
図２に例示するように、排水口６には、該排水口６の開口面を覆う寸法の小便器の目皿８が、着脱可能に載置され、該目皿８によりトラップ１０の上面が覆蓋されている。この目皿２０の具体的な説明は後述する。
【００２２】
図２に例示するように、トラップ１０は、略Ｓ字状の排水配管１１と連通し、概ねＵ字型の排水トラップを形成する。トラップ１０の前側壁面１０ａは、排水配管１１方向に向かって次第に湾曲し、トラップ１０の底の平坦部に連接している。小便器１の使用において、トラップ１０内には、０．７リットル程度の封水が貯留している。
【００２３】
出口管１２は、排水配管１１の後部に連通し、ほぼ水平方向に後方に延伸している。また、洗浄水の流入管１３も出口管１２と同じように、ほぼ水平方向に後方に延伸している。小便器１を設置する際には、出口管１２は、小便器１を設置する壁面（図示せず）に設けられた排水配管（図示せず）にパッキン（図示せず）等を介して接続される。また、流入管１３も同様に、小便器１を設置する壁面（図示せず）に設けられた吐水配管（図示せず）にパッキン（図示せず）等を介して接続される。
【００２４】
なお、流入管１３を介して小便器１に流入された洗浄水は、例えば、特許文献２−４に開示された吐水手段により、適切なタイミングで、所定時間、適切な吐水量で小便器本体２に洗浄水を吐水させるように構成される。
【００２５】
〔目皿構成〕
図３は、一実施形態による小便器の目皿の構成を例示する図である。図３Ａは目皿の表面側から視た斜視構成図を例示し、図３Ｂは目皿を裏面側から視た斜視構成図を例示する。図３Ｃは目皿の平面構成図を例示し、図３Ｄは目皿の側面構成図を例示し、図３Ｅは目皿の後方側面構成図を例示する。一実施形態による小便器の目皿は、図３Ａ乃至図３Ｅに開示する形状を備える。
【００２６】
一実施形態の小便器の目皿８は、排水口６の開口を覆う漏斗状の蓋体を形成する。目皿８には、目皿８を排水口６の開口面に載置したときに、鉛直方向上部から下部に向かって径小となり、略中央部に、径方向の外側に向かって下方に傾斜した底部を有する導水路８ｅが形成されている。
【００２７】
目皿８は、相互に異なる曲率半径で、径方向に内側に向かって下方に湾曲する扇状の領域８ａ、８ｂ、８ｃ、８ｄによって一体形成されている。領域８ａは、外周縁８ｆから径方向に内側に向かって湾曲しながら扇状の領域面積を狭め、鉛直方向下方に傾斜した導水路８ｅの底部を構成している。領域８ｂは、外周縁８ｆから径方向に内側に向かって、下方に湾曲しながら扇状の領域面積を狭め、導水路８ｅの側部を構成している。領域８ｃは、外周縁８ｆから径方向に内側に向かって、下方に湾曲しながら扇状の領域面積を狭め、導水路８ｅの上側開口端部を構成している。領域８ｄは、外周縁８ｆから径方向に内側に向かって、下方に湾曲しながら扇状の領域面積を狭め、導水路８ｅの側部を構成している。
【００２８】
導水路８ｅの底部を構成する領域８ａの領域面積は、少なくとも領域８ｂ、８ｃ、８ｄの各領域面積より大きいことが望ましい。領域８ａの領域面積を大きく取ることにより、領域８ａで集水させた洗浄水等の水量を増やすことができる。その結果、小便器の目皿８
は、導水路８ｅに集水させた洗浄水等の、導水路８ｅの底部の傾斜に沿った流れの勢いをより強くできる。
【００２９】
目皿８の扇状の領域８ａ、８ｂ、８ｃ、８ｄと導水路８ｅとは一体形成されており、領域８ｂによって構成された導水路８ｅの側部と、領域８ｄによって構成された導水路８ｅの側部とは対向している。なお、図３Ｅに例示するように、導水路８ｅの側部を構成する領域８ｂ及び領域８ｄは、同じ曲率半径で湾曲させるとしてもよい。
【００３０】
目皿８の扇状の領域８ａ、８ｂ、８ｃ、８ｄと一体形成された導水路８ｅは、目皿８の裏面側に突出し、突出した導水路８ｅの先端部８ｇは略Ｏ字状に開口している。図３Ｄに例示するように、導水路８ｅの先端部８ｇの開口面は、鉛直方向に対して所定の傾斜角を備えるように形成されている。領域８ｃによって構成された導水路８ｅの上側開口端部からの落水及び落滴が、トラップ１０に落下する際に、領域８ａによって構成された導水路８ｅの底部と干渉させないためである。このような開口面の傾斜角は、例えば、水平面に対する傾斜角Ｒ１として略６０度となるように設定されている。
【００３１】
また、図３Ｃに例示するように、導水路８ｅの先端部８ｇの開口面は、径方向に領域８ｃ側に偏った位置に形成されている。領域８ｃ側は、例えば、図２に例示するように、小便器１の使用時において使用者方向に位置している。このため、鉛直方向に対して所定の傾斜角を備えるように形成された開口面（トラップ１０への排水の穴）は、使用者には殆ど見えない構造となり、トラップからの臭気の上昇等を抑制できる。
【００３２】
なお、図３Ａ、３Ｂに例示するように、目皿８の外周縁８ｆは、厚み方向に傾斜を持たせるようにしてもよい。図２の二点鎖線円で囲まれた拡大図に例示するように、小便器１の排水口６の開口周囲に設けられたテーパ状の階段状の嵌合構造６ａに目皿８を嵌合させることにより、小便器１への着脱が容易となる。さらに、排水口６が開口された小便器１の底部と目皿８の表面の面位置が同じ高さとなるように目皿８を取り付けできる。
【００３３】
また、目皿８の外周縁８ｆの厚み方向の傾斜は、排水口６が開口される小便器本体２の、内壁面の湾曲する形状に応じるとしてもよい。この場合、目皿８の寸法は、排水口６の開口面を覆う寸法として小便器本体２に取り付けることができる。目皿８は、目皿８の外周縁８ｆの傾斜面を、小便器本体２の湾曲する内壁面に当接するように載置できるので、目皿８が取り付けられる小便器１は、排水口６の開口周囲に設けられた段状の嵌合構造６ａを省くことができる。
【００３４】
以上、説明したように、一実施形態の小便器の目皿８は、排水口６の開口を覆う漏斗状の蓋体を形成するため、小便器１の上部から底部に流れ込んできた洗浄水を、略中央部に形成された導水路８ｅに集中させることができる。導水路８ｅは、目皿８を構成する複数の領域と一体形成され、目皿８が排水口６の開口面に載置されたときに該導水路８ｅが鉛直下方に対して斜めに下降するように形成されるため、小便器１の上部から底部に流れ込んできた洗浄水の水流の勢いの低下を極力低減して集水することができる。導水路８ｅは、径方向の外側に向かって下方に傾斜した底部を有するため、集水した洗浄水を、導水路８ｅの先端部８ｇから底部の傾斜方向に沿って下方に吐出することができる。
【００３５】
図４は、一実施形態の目皿を取り付けた小便器の排水に関する説明図である。小便器１の上部から底部に流れ込んできた洗浄水等は、排水口６を覆蓋する目皿８によって集水される。洗浄水は、例えば、流入管１３を介して小便器１に供給される。小便器１に供給された洗浄水は、図示しない吐出手段により、適切なタイミングで、所定時間、適切な吐水量で小便器本体２に吐水される。
【００３６】
目皿８で集水された洗浄水は、導水路８ｅの底部の傾斜に沿って導水路８ｅの先端部８ｇから吐出される。目皿８で集水された洗浄水の吐出方向は、導水路８ｅの底部の傾斜方向である。
【００３７】
導水路８ｅの先端部８ｇの開口面には、トラップ１０の前側壁面１０ａが対向している。目皿８で集水された洗浄水は、導水路８ｅの先端部８ｇから、トラップ１０の前側壁面１０ａに吐出される。トラップ１０の前側壁面１０ａに吐出された洗浄水は、前側壁面１０ａの湾曲した壁面に沿ってトラップ１０内に貯留された封水に流れ込む。トラップ１０内の封水に流れ込んだ洗浄水は、貯留された封水を撹拌しながら排水管１１に向かう流れをつくり、該トラップ１０内の封水をトラップ１０の後方に連通する排水管１１に排出する。排水管１１に排出された封水（及び洗浄水）は、排水配管１１の後部に連通された出口管１２を介して所定の設備へ排水される。
【００３８】
このように、一実施形態の目皿８によって吐出された洗浄水は、トラップ１０内に貯留された、屎尿濃度が濃い封水を撹拌しながら流れをつくり、所定の設備へ排水することができる。
【００３９】
出願人が行った排水実験では、従来の目皿構造を備える小便器に対して１リットル程度の洗浄水を流した場合、トラップ１０内に貯留された封水の屎尿に関する残留濃度が２０パーセント程度残っていた。トラップ１０内の封水の貯留量は０．７リットル程度である。一方、一実施形態の目皿を取り付けた小便器では、１リットル程度の洗浄水を流した場合、トラップ１０内に貯留された封水の屎尿に関する残留濃度が１０パーセント程度に改善された。さらに、追加実験として３リットル程度の洗浄水を流した場合には、トラップ１０内に貯留された封水の屎尿に関する残留濃度が検知不能となるまでに改善された。
【００４０】
このように、一実施形態の目皿を取り付けた小便器によれば、小便器の洗浄水を集水し、一方向に吐出できる小便器の目皿の技術を提供できる。その結果、節水と清潔感を両立することができる小便器の目皿が実現できる。
【００４１】
なお、一実施形態の目皿の材質は、樹脂製プラスチックによるものであるが、ステンレス等の金属製であってもよく、セラミック等の陶器製でもよい。また、一実施形態の目皿を取り付けた小便器によれば、貯留された封水を撹拌しながら排水管１１に向かう流れをつくるため、例えば、トラップ１０内の封水内に沈殿していた吐瀉物等もトラップ１０の前側壁面１０ａに吐出された洗浄水によってつくられた流れにより、効果的に排出される。
【符号の説明】
【００４２】
１    小便器
２    小便器本体
３    上部壁面
４    小便器本体壁面
５    外側壁面
６    排水口
８    目皿
８ａ、８ｂ、８ｃ、８ｄ  扇状の領域
８ｅ  導水路
８ｆ  外周縁
８ｇ  先端部
１０  トラップ
１１  排水配管
１２  出口管
１３  流入管
【図１】
2013221377.tif 000003
【図２】
2013221377.tif 000004
【図３Ａ】
2013221377.tif 000005
【図３Ｂ】
2013221377.tif 000006
【図３Ｃ】
2013221377.tif 000007
【図３Ｄ】
2013221377.tif 000008
【図３Ｅ】
2013221377.tif 000009
【図４】
2013221377.tif 000010